(57)【要約】【課題】ＡＶ機器の多機能化により優先順位の高いデバイスの制御に処理が実行されることで第３認証鍵更新信号に応じて第３認証部６が第３認証を実行できないことやマイコン一つあたりの制御するデバイス数が増大することでマイコンの入力ポート及び出力ポートの枯渇が問題となっている。【解決手段】ＨＤＣＰ規格に記載の第３認証を行う場合において、認証装置とＴＭＤＳ生成部の第３認証鍵更新の基準となる信号を認証装置内のタイマーからの入力に置き換え、ＴＭＤＳ生成部間の配線数を低減することで、マイコンの資源のひとつである入力ポート使用数を低減することを効果とする。さらに、上記タイマーに置き換えた場合でも鍵比較条件を最適化することにより、ＴＭＤＳ生成部からＴＭＤＳ受信部へ送信されたＴＭＤＳ信号内の垂直同期周波数の同期信号を受信できなかった場合でも、第３認証鍵の不一致をできる限り早く検出する。【選択図】図１
2005269135.tif 000002
【特許請求の範囲】
【請求項１】
ＨＤＣＰ規格に記載の第３認証機能を実現する認証装置であって、
ＴＭＤＳ出力停止要求を入出力ポートに出力する鍵比較部と、
ＴＭＤＳ送信部の第３認証鍵及び鍵更新状態及びＴＭＤＳ受信部の第３認証鍵を鍵比較部に出力する入出力ポートと、
鍵更新タイミングとは非同期である第３認証開始信号を鍵比較部に出力する第３認証開始信号生成部とを有することを特徴とする認証装置。
【請求項２】
ＴＭＤＳ送信部内の鍵更新状態が更新状態を示さない場合に、Ｔ時間（１≦Ｔ≦∞）更新状態に変化しないか待ち、更新状態に変化すれば第３認証を実施することを特徴とする請求項１記載の認証装置。
【請求項３】
ＴＭＤＳ送信部内の鍵更新状態が更新状態の１つ前の状態を示す場合にのみ、Ｔ時間（１≦Ｔ≦∞）更新状態に変化しないか待ち、更新状態に変化すれば第３認証を実施することを特徴とする請求項１記載の認証装置。
【請求項４】
第３認証が失敗すれば、ＴＭＤＳ出力停止要求を入出力ポートに出力する鍵比較部を有することを特徴とする請求項２及び請求項３記載の認証装置。
【請求項５】
ＴＭＤＳ出力停止中は第３認証開始信号を鍵比較部に出力しない第３認証開始信号生成部を有することを特徴とする請求項４記載の認証装置。
【請求項６】
ＨＤＣＰ規格に記載の第３認証機能を実現する認証方法であって、鍵更新タイミングとは非同期である第３認証開始信号を用いて第３認証処理を実施することを特徴とする認証方法。
【請求項７】
ＴＭＤＳ送信部内の鍵更新状態が更新状態でない場合、Ｔ時間（１≦Ｔ≦∞）前記レジスタが更新状態に変化しないか待ち、更新状態に変化すれば第３認証を実行することを特徴とする請求項６記載の認証方法。
【請求項８】
ＴＭＤＳ送信部内の鍵更新状態が更新状態の１つ前の状態を示す場合にのみ、Ｔ時間（１≦Ｔ≦∞）更新状態に変化しないか待ち、更新状態に変化すれば第３認証を実施することを特徴とする請求項７記載の認証装置方法。
【請求項９】
第３認証が失敗すれば、ＴＭＤＳ出力停止要求を発行することを特徴とする請求項７及び請求項８記載の認証方法。
【請求項１０】
ＴＭＤＳ出力停止中は鍵更新タイミングとは非同期である第３認証開始信号を出力しないことを特徴とする請求項９記載の認証方法。
【発明の詳細な説明】
【技術分野】
【０００１】
本発明は、ＨＤＣＰ規格に対応した機器認証に用いて有効な認証装置および認証方法に関するものである。
【背景技術】
【０００２】
ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  Ｓｙｓｔｅｍ  ）規格では、ＴＭＤＳ送信部がＡＶ出力前に、ＴＭＤＳ受信部の正当性を確認するために第１の鍵の比較を行う。これを第１認証と呼ぶ。
【０００３】
次に、ＴＭＤＳ受信部がＴＭＤＳを中継する機能を持ち合わせる場合、ＨＤＭＩツリー上の後段に接続されたＴＭＤＳ受信部の正当性を確認するために第２の鍵の比較を行う。これを第２認証と呼ぶ。
【０００４】
次に、ＴＭＤＳ送信部からＡＶが出力された後も、ＴＭＤＳ受信部の正当性を確認するために第３の鍵の比較を行う。これを第３認証と呼ぶ。以降、前記第３の鍵を第３認証鍵と記載する。
【０００５】
さらに、ＴＭＤＳ送信部とＴＭＤＳ受信部第３認証鍵は、ＴＭＤＳ送信部からＴＭＤＳ受信部に送信されるＴＭＤＳ信号内の垂直同期信号を基準に約２秒毎に更新される。
【０００６】
次に図５に記載のＨＤＣＰ規格に記載の第３認証処理を実現する従来の認証装置と認証装置を含むＴＭＤＳ送信部について説明する。従来の第３認証部６及びＴＭＤＳ送信部２は、ＴＭＤＳ生成部３のレジスタをデータ入出力バス５を介して読み出す第３認証部６とＡＵＤＩＯ及びＶＩＤＥＯのストリームデータ及び制御信号をＴＭＤＳ生成部３に出力する入力ポート１とＴＭＤＳ信号を出力ポート７及びＨＤＭケーブル９を介してＴＭＤＳ受信部１０に出力し、鍵更新信号を出力ポート４を介して第３認証部６に出力し、ＴＭＤＳ受信部１０のレジスタを入力ポート８及びＨＤＭＩケーブル９を介して読み出すＴＭＤＳ生成部２から構成することを特徴とし、ＴＭＤＳ送信部２からポート４を介して出力される鍵更新信号に応じて、第３認証部６がデータ入出力バス５を介して、ＴＭＤＳ送信部（ＴＭＤＳ生成部）及びＴＭＤＳ受信部の第３認証鍵を読み出した後、比較することでＨＤＣＰ規格に記載の第３認証を実現する。
【０００７】
ＴＭＤＳ送信部とＴＭＤＳ受信部の第３認証鍵が一致せず第３認証が失敗した場合は、第３認証部６がデータ入出力バス５を介してＴＭＤＳ停止要求をＴＭＤＳ生成部３に出力しＴＭＤＳ生成部がＴＭＤＳの出力を停止する。
【０００８】
また、ＴＭＤＳ生成部は、ＴＭＤＳ信号を生成することから高周波で動作する必要があり認証装置は、第３認証は垂直同期周波数同期信号を基準して更新される第３認証鍵毎にＴＭＤＳ生成部に比べて低周波で動作しても良いことから、別デバイスで実装されることが予想される。
【０００９】
ＡＶ機器の多機能化により、装置間の配線数の増加することで機能検証時間及び製造コストの増大が問題となっている。
【００１０】
さらに、第３認証装置は、他の機能と共に汎用マイコン上で実現することが予想される。
【特許文献１】特開２００２−２８１４６４号公報
【特許文献２】特開２００２−３１４９７０号公報
【発明の開示】
【発明が解決しようとする課題】
【００１１】
しかしながら上記構成では、ＡＶ機器の多機能化により優先順位の高いデバイスの制御に処理が実行されることで鍵更新信号に応じて第３認証部６が第３認証を実行できないことやマイコン一つあたりの制御するデバイス数が増大することでマイコンの入力ポート及び出力ポートの枯渇が問題となっている。
【００１２】
また、ＨＤＣＰ規格の第３認証処理中においてＤＶＤプレイヤー等に内蔵されたＴＭＤＳ送信部では、入力されたオーディオ及びビデオデータと同データ毎の擬似ランダムデータ値との排他的論理和を取ることにより、ＴＭＤＳデータを暗号化して出力する。オーディオ再生機能を備えたビデオモニター等に内蔵されたＴＭＤＳ受信部では前記ＴＭＤＳデータを受信しＴＭＤＳ送信部と同じ擬似ランダムデータ値と排他的論理和を取ることにより、ＴＭＤＳデータを元の形式に戻し、オーディオ又はビデオデータが再生可能となる。擬似ランダムデータの一部は、第３認証鍵に用いられているため、ＴＭＤＳ受信部で元の形式に戻せなくなったことを、ほとんどの場合、第３認証が失敗（ＴＭＤＳ送信部とＴＭＤＳ受信部の第３認証鍵の不一致）することで検出することが可能である。そのため、ＴＭＤＳ送信部を設計する上では最小限の遅延時間でＴＭＤＳ受信部が再生不可能であることを第３認証の失敗で検出し、ＴＭＤＳ送信部の状態を復旧処理状態等に遷移すことが重要となる。
【００１３】
さらに、前記擬似ランダムデータは更新基準には垂直同期周波数同期信号が用いられるために、ＴＭＤＳ受信部で前記同期信号を１つ受信できなかった場合、ＴＭＤＳ受信部ではＴＭＤＳ送信部とは違う擬似ランダムデータ値で排他的論理和を取るので、元の形式に戻せなくなり、ＴＭＤＳ受信部でオーディオ又はビデオデータを再生不可能となる。しかしながら、第３認証鍵は約２秒毎にしか更新されないので受信部で前記同期信号を１つ受信できなかった場合、ＴＭＤＳ受信部の第３認証鍵の更新が垂直同期周波数の１周期分遅れが発生するが第３認証鍵の更新周期内においてＴＭＤＳ送信部の第３認証鍵とＴＭＤＳ受信部の第３認証鍵の不一致が発生する区間は垂直同期周波数の１周期分のみとなるため第３認証処理でＴＭＤＳ受信部が再生不可能であることを検出することが困難となる。
【００１４】
本発明は上記問題に鑑み、ＨＤＣＰ規格に記載の第３認証を行う場合において、認証装置とＴＭＤＳ生成部の第３認証鍵更新の基準となる信号を認証装置内のタイマーからの入力に置き換え、ＴＭＤＳ生成部間の配線数を低減することで、マイコンの資源のひとつである入力ポート使用数を低減すること及び第３認証処理でＴＭＤＳ受信装置が再生不可能であることを検出する遅延時間の低減を効果とする。
【課題を解決するための手段】
【００１５】
上記課題を解決するために本発明の認証装置は、ＴＭＤＳ出力停止要求を入出力ポートに出力する鍵比較部と、ＴＭＤＳ送信部の第３認証鍵及び鍵更新状態及びＴＭＤＳ受信部の第３認証鍵を鍵比較部に出力する入出力ポートと、鍵更新タイミングとは非同期である第３認証開始信号を鍵比較部に出力する第３認証開始信号生成部とを有することで、鍵更新信号用の入力ポートが不要となり最小限の装置間の接続配線数でＨＤＣＰ規格に記載の第３認証機能を実現する認証装置を実現可能となる。
【００１６】
また、本発明の認証方法は、ＨＤＣＰ規格に記載の第３認証機能を実現する認証方法において、第３認証鍵更新タイミングとは非同期である第３認証開始信号を用いて第３認証処理を実施することで、最小限の遅延時間で、第３認証の失敗を検出することが可能となる。
【発明の効果】
【００１７】
以上のように、本願の請求項１の発明に係る認証装置によれば、ＴＭＤＳ出力停止要求を入出力ポートに出力する鍵比較部とＴＭＤＳ送信部の第３認証鍵及び鍵更新状態及びＴＭＤＳ受信部の第３認証鍵を鍵比較部に出力する入出力ポートと鍵更新タイミングとは非同期である第３認証開始信号を鍵比較部に出力する第３認証開始信号生成部とを有することで、第３認証鍵更新信号専用の入力ポートが不要となり最小限の装置間の接続配線数でＨＤＣＰ規格に記載の第３認証機能を実現する認証装置を実現できる効果がある。
【００１８】
また、本願の請求項２の発明に係る認証装置によれば、請求項１記載の認証装置においてＴＭＤＳ送信部内の鍵更新状態が更新状態を示さない場合に、Ｔ時間（１≦Ｔ≦∞）更新状態に変化しないか待ち、更新状態に変化すれば第３認証を実施することで、最小限の遅延時間で、第３認証の失敗を検出する効果がある。
【００１９】
また、本願の請求項３の発明に係る認証装置によれば、本願の請求項３の発明に係る認証装置は、請求項１記載の認証装置においてＴＭＤＳ送信部内の鍵更新状態が更新状態の１つ前の状態を示す場合にのみ、Ｔ時間（１≦Ｔ≦∞）更新状態に変化しないか待ち、更新状態に変化すれば第３認証を実施することで、最小限の遅延時間で、第３認証の失敗を検出する効果がある。
【００２０】
また、本願の請求項４の発明に係る認証装置によれば、請求項２及び請求項３記載の認証装置において第３認証が失敗すれば、ＴＭＤＳ出力停止要求を入出力ポートに出力する鍵比較部を有することで、最小限の遅延時間で、第３認証の失敗をＴＭＤＳ受信部に伝送する効果がある。
【００２１】
また、本願の請求項５の発明に係る認証装置によれば、請求項４記載の認証装置においてＴＭＤＳ出力停止中は第３認証開始信号を鍵比較部に出力しない第３認証開始信号生成部を有することで、最小限の遅延時間で、第３認証の失敗を検出する効果がある。
【００２２】
また、本願の請求項６の発明に係る認証方法によれば、ＨＤＣＰ規格に記載の第３認証機能を実現する認証方法において鍵更新タイミングとは非同期である第３認証開始信号を用いて第３認証処理を実施することで、最小限の遅延時間で、第３認証の失敗を検出する効果がある。
【００２３】
また、本願の請求項７の発明に係る認証方法によれば、ＴＭＤＳ送信部内の鍵更新状態が更新状態でない場合、Ｔ時間（１≦Ｔ≦∞）前記レジスタが更新状態に変化しないか待ち、更新状態に変化すれば第３認証を実施することで、最小限の遅延時間で、第３認証の失敗を検出する効果がある。
【００２４】
また、本願の請求項８の発明に係る認証方法によれば、請求項６記載の認証方法において、ＴＭＤＳ送信部内の鍵更新状態が更新状態の１つ前の状態を示す場合にのみ、Ｔ時間（１≦Ｔ≦∞）更新状態に変化しないか待ち、更新状態に変化すれば第３認証を実施することで、最小限の遅延時間で、第３認証の失敗を検出する効果がある。
【００２５】
また、本願の請求項９の発明に係る認証方法によれば、請求項７及び請求項８記載の認証方法において第３認証が失敗すれば、ＴＭＤＳ出力停止要求を発行することで、最小限の遅延時間で、第３認証の失敗をＴＭＤＳ受信部に伝送する効果がある。
【００２６】
また、本願の請求項１０の発明に係る認証方法によれば、請求項９記載の認証方法において、ＴＭＤＳ出力停止中は鍵更新タイミングとは非同期である第３認証開始信号を出力しないことで、最小限の遅延時間で、第３認証の失敗を検出する効果がある。
【発明を実施するための最良の形態】
【００２７】
本願の請求項１の発明に係る認証装置は、ＴＭＤＳ出力停止要求を入出力ポートに出力する鍵比較部と、ＴＭＤＳ送信部の第３認証鍵及び鍵更新状態及びＴＭＤＳ受信部の鍵を鍵比較部に出力する入出力ポートと、鍵更新タイミングとは非同期である第３認証開始信号を鍵比較部に出力する第３認証開始信号生成部とを有することで、第３認証鍵更新信号専用の入力ポートが不要となり最小限の装置間の接続配線数でＨＤＣＰ規格に記載の第３認証機能を実現する認証装置が実現可能となる。
【００２８】
本願の請求項２の発明に係る認証装置は、請求項１記載の認証装置において、ＴＭＤＳ送信部内の鍵更新状態が更新状態を示さない場合に、Ｔ時間（１≦Ｔ≦∞）更新状態に変化しないか待ち、更新状態に変化すれば第３認証を実施することで最小限の遅延時間で、第３認証の失敗を検出することが可能となる。
【００２９】
本願の請求項３の発明に係る認証装置は、請求項１記載の認証装置において、ＴＭＤＳ送信部内の鍵更新状態が更新状態の１つ前の状態を示す場合にのみ、Ｔ時間（１≦Ｔ≦∞）更新状態に変化しないか待ち、更新状態に変化すれば第３認証を実施することで最小限の遅延時間で、第３認証の失敗を検出することが可能となる。
【００３０】
本願の請求項４の発明に係る認証装置は、請求項２及び請求項３記載の認証装置において第３認証が失敗すれば、ＴＭＤＳ出力停止要求を入出力ポートに出力する鍵比較部を有することで、最小限の遅延時間で、第３認証の失敗をＴＭＤＳ受信部に伝送することが可能となる。
【００３１】
本願の請求項５の発明に係る認証装置は、請求項４記載の認証装置においてＴＭＤＳ出力停止中は第３認証開始信号を鍵比較部に出力しない第３認証開始信号生成部を有することで、最小限の遅延時間で、第３認証の失敗を検出することが可能となる。
【００３２】
本願の請求項６の発明に係る認証方法は、ＨＤＣＰ規格に記載の第３認証機能を実現する認証方法において、鍵更新タイミングとは非同期である第３認証開始信号を用いて第３認証処理を実施することで、最小限の遅延時間で、第３認証の失敗を検出することが可能となる。
【００３３】
本願の請求項７の発明に係る認証方法は、請求項６記載の認証方法においてＴＭＤＳ送信部内の鍵更新状態が更新状態でない場合、Ｔ時間（１≦Ｔ≦∞）前記レジスタが更新状態に変化しないか待ち、更新状態に変化すれば第３認証を実施することで、最小限の遅延時間で、第３認証の失敗を検出することが可能となる。
【００３４】
本願の請求項８の発明に係る認証方法は、請求項６記載の認証方法においてＴＭＤＳ送信部内の鍵更新状態が更新状態の１つ前の状態を示す場合にのみ、Ｔ時間（１≦Ｔ≦∞）更新状態に変化しないか待ち、更新状態に変化すれば第３認証を実施することで、最小限の遅延時間で、第３認証の失敗を検出することが可能となる。
【００３５】
本願の請求項９の発明に係る認証方法は、請求項７及び請求項８記載の認証方法において第３認証が失敗すれば、ＴＭＤＳ出力停止要求を発行することで、最小限の遅延時間で、第３認証の失敗をＴＭＤＳ受信部に伝送することが可能となる。
【００３６】
本願の請求項１０の発明に係る認証方法は、請求項９記載の認証方法においてＴＭＤＳ出力停止中は、鍵更新タイミングとは非同期である第３認証開始信号を出力しないことで、最小限の遅延時間で、第３認証の失敗を検出することが可能となる。
【００３７】
以下、本発明の実施の形態について、図面を用いて説明する。
【００３８】
（実施の形態１）
次に図１に記載のＨＤＣＰ規格に記載の第３認証処理を実現する実施例１の認証装置について説明する。
【００３９】
２６は第３認証部で、ＴＭＤＳ停止要求を入出力ポート２５に出力する鍵比較部３１と鍵更新タイミングとは非同期である第３認証開始信号を第３認証鍵比較部３１に出力する第３認証開始信号生成部３３とから構成される。
【００４０】
２２はＴＭＤＳ送信部で、オーディオ及びビデオデータ及びその制御信号をＴＭＤＳ生成部２３に出力する入力ポート２１と、ＴＭＤＳ信号を出力ポート２７に出力し（ＴＭＤＳ信号はＨＤＭＩケーブル２９を経由してＴＭＤＳ受信部３０に出力される。）ＴＭＤＳ送信部２２の第３認証鍵及び鍵更新状態及びＴＭＤＳ受信部３０の第３認証鍵を入出力ポート２５に出力するＴＭＤＳ生成部２３と、ＴＭＤＳ送信部２３の第３認証鍵及び鍵更新状態及びＴＭＤＳ受信部３０の第３認証鍵を鍵比較部３１に出力する入出力ポート２５と、ＴＭＤＳ停止要求を入出力ポート２５に出力する第３認証部２６とＴＭＤＳ受信部３０の第３認証鍵をＨＤＭＩケーブル２９を経由してＴＭＤＳ送信部２３に出力する入出力ポート２８とから構成される。ＴＭＤＳ送信部２２は例えばＤＶＤプレーヤなどに搭載される。また、ＴＭＤＳ受信部１０は例えばテレビジョン受像機などに搭載される。
【００４１】
次に、鍵状態（ＲＩＳＴＡＴＥ）が、垂直同期周波数同期信号（ＶＳＹＮＣ）毎に０から１２７までカウントアップされ、１２７の次に０戻り、鍵状態（ＲＩＳＴＡＴＥ）が１２７から０に遷移する場合にＴＭＤＳ送信部２３の第３認証鍵（ＴＸＲＩ）及びＴＭＤＳ受信部３０の第３認証鍵（ＲＸＲＩ）が更新され第３認証開始信号生成部３３から鍵比較部３１に出力される第３認証鍵更新タイミングとは非同期である第３認証開始信号（ＳＴＡＲＴ）を用いて鍵比較部３１で第３認証を実行する場合における認証装置の処理の流れについて図２のフローチャートを用いて説明する。
【００４２】
認証装置では、鍵更新状態（ＲＩＳＴＡＴＥ）の値が１２７でなくなるまで、入出力ポート２５からＴＭＤＳ生成部２３内の鍵更新状態（ＲＩＳＴＡＴＥ）読出すことを繰り返す（図２のステップ２０１、２０２）。
【００４３】
次に、ＴＭＤＳ送信部２２の第３認証鍵（ＴＸＲＩ）と、ＴＭＤＳ受信部３０の第３認証鍵（ＲＸＲＩ）とを読出す（図２のステップ２０３、２０４）。
【００４４】
次に、ステップ２０３と２０４で読み出した第３認証鍵に基づき第３認証処理を実行し（図２のステップ２０５）、認証が成功したか失敗したかを判断する（図２のステップ２０６）。そして、第３認証が成功した場合は処理を終了するが、第３認証が失敗した場合にはＴＭＤＳ停止要求を入出力ポート２５に出力する（図２のステップ２０７）。
【００４５】
以上の処理により、非同期である第３認証開始信号（ＳＴＡＲＴ）を用いて起動していてもＴＭＤＳ送信部第３認証鍵（ＴＸＲＩ）及びＴＭＤＳ受信部第３認証鍵（ＲＸＲＩ）が更新した直後にＨＤＣＰ規格に記載の第３認証処理を実行する頻度を向上する。
【００４６】
次に、ＴＭＤＳ受信部３０でＴＭＤＳ信号内の垂直同期周波数同期信号（ＶＳＹＮＣ）が全て受信できている場合の認証装置の動作についてタイミングチャート図３を用いて説明する。
【００４７】
図３内では、鍵状態（ＲＩＳＴＡＴＥ）が１２７から０に遷移する場合にＴＭＤＳ送信部２３の第３認証鍵（ＴＸＲＩ）及びＴＭＤＳ受信部３０の第３認証鍵（ＲＸＲＩ）がＲＩ０からＲＩ１に更新されるものとする。１回目の第３認証開始信号（ＳＴＡＲＴ）がＨＩに遷移した場合には鍵更新状態（ＲＩＳＴＡＴＥ）が１２６であるので第３認証処理実行（ＴＸＲＩとＲＸＲＩの比較）し、ＴＭＤＳ送信部２３の第３認証鍵（ＴＸＲＩ）及びＴＭＤＳ受信部３０の第３認証鍵（ＲＸＲＩ）が共にＲＩ０であり等しいので、第３認証は成功する。
【００４８】
２回目の第３認証開始信号（ＳＴＡＲＴ）がＨＩに遷移した場合には鍵更新状態（ＲＩＳＴＡＴＥ）が１２７であるので鍵更新状態（ＲＩＳＴＡＴＥ）が０に遷移するまで待ち第３認証処理実行（ＴＸＲＩとＲＸＲＩの比較）し、ＴＭＤＳ送信部２３の第３認証鍵（ＴＸＲＩ）及びＴＭＤＳ受信部３０の第３認証鍵（ＲＸＲＩ）が共にＲＩ１であり等しいので、第３認証は成功する。
【００４９】
３回目以降の第３認証開始信号（ＳＴＡＲＴ）がＨＩに遷移した場合には鍵更新状態（ＲＩＳＴＡＴＥ）が１２７ではないので第３認証処理実行（ＴＸＲＩとＲＸＲＩの比較）し、ＴＭＤＳ送信部２３の第３認証鍵（ＴＸＲＩ）及びＴＭＤＳ受信部３０の第３認証鍵（ＲＸＲＩ）が共にＲＩ１であり等しいので、第３認証は成功する。
【００５０】
次に、ＴＭＤＳ受信部３０でＴＭＤＳ信号内の垂直同期周波数同期信号（ＶＳＹＮＣ）が１つ受信できなかった場合の第３認証装置の動作についてタイミングチャート図４を用いて説明する。
【００５１】
図４内では、ＴＭＤＳ受信部３０でＴＭＤＳ信号内の垂直同期周波数同期信号（ＶＳＹＮＣ）が１つ受信できなかったので鍵状態（ＲＩＳＴＡＴＥ）が１２７から０に遷移する場合にＴＭＤＳ送信部２３の第３認証鍵（ＴＸＲＩ）がＲＩ０からＲＩ１に更新され第３認証鍵状態（ＲＩＳＴＡＴＥ）が０から１に遷移する場合にＴＭＤＳ受信部３０の第３認証鍵（ＲＸＲＩ）がＲＩ０からＲＩ１に更新されものとする。
【００５２】
１回目の第３認証開始信号（ＳＴＡＲＴ）がＨＩに遷移した場合には鍵更新状態（ＲＩＳＴＡＴＥ）が１２６であるので第３認証処理実行（ＴＸＲＩとＲＸＲＩの比較）し、ＴＭＤＳ送信部２３の第３認証鍵（ＴＸＲＩ）及びＴＭＤＳ受信部３０の第３認証鍵（ＲＸＲＩ）が共にＲＩ０であり等しいので、第３認証は成功する。
【００５３】
２回目の第３認証開始信号（ＳＴＡＲＴ）がＨＩに遷移した場合には鍵更新状態（ＲＩＳＴＡＴＥ）が１２７であるので鍵更新状態（ＲＩＳＴＡＴＥ）が０に遷移するまで待ち第３認証処理実行（ＴＸＲＩとＲＸＲＩの比較）し、ＴＭＤＳ送信部２３の第３認証鍵（ＴＸＲＩ）がＲＩ１でＴＭＤＳ受信部３０の第３認証鍵（ＲＸＲＩ）がＲＩ０であるので第３認証は失敗しＴＭＤＳ停止要求を入出力ポート２５に出力する。ＴＭＤＳ受信部３０でＴＭＤＳ信号内の垂直同期周波数同期信号（ＶＳＹＮＣ）が１つ受信できなかった場合でも第３認証の失敗を検出することが可能となる。また、図４内では、上記のＴＭＤＳ停止要求を受けＴＭＤＳ信号は停止しているので再開するまで、第３認証開始信号（ＳＴＡＲＴ）がＨＩに遷移しないものとする。
【００５４】
次に、本実施の形態の認証装置を用いたシステム例について説明する。
【００５５】
図６は本実施の形態の認証装置を用いたシステムを示すブロック図で、４０はＴＭＤＳ送信部２２などを内包したディスク再生装置で、例えばＤＶＤ（デジタル多用途ディスク）を再生可能なＤＶＤプレーヤに相当する。またＴＭＤＳ受信装置３０はＨＤＭＩケーブル２９を着脱可能な端子を有し、入力される映像信号を映出可能なテレビジョン受像機や、ＡＶアンプに相当する。本実施の形態ではＤＶＤプレーヤとテレビジョン受像機を例として説明するが、これらの機器に限定されるものではない。３５は映像信号や音声信号などの各種情報信号が記録された記録媒体から情報信号を読み出すドライブ装置、３４はドライブ装置３５から読み出したＭＰＥＧフォーマットの映像信号をデコードするＭＰＥＧデコーダである。
【００５６】
このように、図１に記載のＴＭＤＳ送信部２２に、入力ポート２１にＡＶデータを出力するＭＰＥＧデコーダ３４と、ＭＰＥＧデコーダ３４にＤＶＤディスクデータを出力するドライブ装置３５とを備えることにより、本発明の第３認証装置を内蔵したＴＭＤＳ送信機能を備えたＤＶＤ再生装置を実現することも可能である。
【００５７】
さらに、図１に記載のＴＭＤＳ送信部２２に、入力ポート２１にＡＶデータを出力するＭＰＥＧデコーダ３４と、ＭＰＥＧデコーダ３４に受信データを出力するチューナー或いは復調装置（図示せず）とを備えることにより、本発明の第３認証装置を内蔵したＴＭＤＳ送信機能を備えたセットトップボックスを実現することも可能である。
【産業上の利用可能性】
【００５８】
本発明にかかる認証装置によれば、ＴＭＤＳ出力停止要求を入出力ポートに出力する鍵比較部とＴＭＤＳ送信部の第３認証鍵及び鍵更新状態及びＴＭＤＳ受信部の第３認証鍵を鍵比較部に出力する入出力ポートと鍵更新タイミングとは非同期である第３認証開始信号を鍵比較部に出力する第３認証開始信号生成部とを有することで、第３認証鍵更新信号専用の入力ポートが不要となり最小限の装置間の接続配線数でＨＤＣＰ規格に記載の第３認証機能を実現する認証装置を実現することによって、ＡＶ出力機能を備えたDVD再生装置又はセットトップボックス等に適用可能となる。
【図面の簡単な説明】
【００５９】
【図１】本発明の実施の形態である認証装置の構成を示すブロック図
【図２】同実施の形態におけるフローチャート
【図３】同実施の形態におけるタイミングチャート
【図４】同実施の形態におけるタイミングチャート
【図５】従来の装置におけるブロック図
【図６】認証装置を用いたシステムを示すブロック図
【符号の説明】
【００６０】
２２    ＴＭＤＳ送信部
２３    ＴＭＤＳ生成部
２６    第３認証部
３０    ＴＭＤＳ受信部
３１    鍵比較部
３３    第３認証開始信号生成部
【図１】
2005269135.tif 000003
【図２】
2005269135.tif 000004
【図３】
2005269135.tif 000005
【図４】
2005269135.tif 000006
【図５】
2005269135.tif 000007
【図６】
2005269135.tif 000008